(57)【要約】【課題】動きの激しい画像であっても単一の受信部で十分に見やすいサムネイル画像として表示し得る表示制御装置を提供する。【解決手段】テレビ放送波を受信して例えば６種類のチャンネルの各放送信号をそれぞれ所定の頻度で繰り返して抽出する受信部と、抽出された各放送信号に基づく各サムネイル画像Ｇｓ１〜Ｇｓ６を表示部のインデックス画面Ｐｉ内で更新しつつ表示させる表示制御部とを備えた表示制御装置であって、インデックス画面Ｐｉ内に表示された各サムネイル画像Ｇｓ１〜Ｇｓ６に対応する各チャンネルの中から５種類以内で指定した指定チャンネルの放送信号に対する抽出の頻度を変更させる変更操作が可能な操作手段と、変更操作によって変更された頻度で受信部に対して指定チャンネルの放送信号を抽出させる受信制御部とを備えている。【選択図】        図３
2005033371.tif 000002
【特許請求の範囲】
【請求項１】
テレビ放送波を受信してＮ種類（Ｎは２以上の自然数）のチャンネルの各放送信号をそれぞれ所定の頻度で繰り返して抽出する受信部と、前記抽出された各放送信号に基づく各サムネイル画像を表示部のインデックス画面内で更新しつつ表示させる表示制御部とを備えた表示制御装置であって、
前記インデックス画面内に表示された前記各サムネイル画像に対応する前記各チャンネルの中から（Ｎ−１）種類以内で指定した指定チャンネルの前記放送信号に対する前記抽出の頻度を変更させる変更操作が可能な操作手段と、前記変更操作によって変更された頻度で前記受信部に対して前記指定チャンネルの前記放送信号を抽出させる受信制御部とを備えている表示制御装置。
【請求項２】
前記受信部は、前記放送信号を一定の周期で抽出し、
前記受信制御部は、前記指定チャンネルの前記放送信号に対する前記抽出の頻度を増加または減少させる操作が前記変更操作として行われたときに、前記Ｎ種類のチャンネルの各放送信号を所定の順序で抽出する１周期の時間を伸長または短縮させた新たな１周期当たりにおけるその指定チャンネルの当該放送信号についての当該抽出の回数を前記受信部に対して増加または減少させる請求項１記載の表示制御装置。
【請求項３】
前記受信制御部は、前記受信部に対して前記指定チャンネルの前記放送信号を一定またはほぼ一定の周期で抽出させる請求項１または２記載の表示制御装置。
【請求項４】
請求項１から３のいずれかに記載の表示制御装置と、前記表示部とを備えているテレビジョン装置。
【発明の詳細な説明】
【０００１】
【発明の属する技術分野】
本発明は、テレビ放送の各チャンネルに対応するサムネイル画像を表示部のインデックス画面内に表示可能に構成された表示制御装置およびテレビジョン装置に関するものである。
【０００２】
【従来の技術】
今日、地上波放送に加えてＢＳ放送やＣＳ放送などの様々な放送形態でテレビ放送（テレビジョン放送）が行われている状況下において、テレビ放送のチャンネル数は、視聴者がその選択に苦慮するほど増加している。このため、チャンネル（番組）の選択を容易とするために、近年のテレビジョン装置は、一般的に、各チャンネルに対応する小画像（サムネイル画像）を複数表示したチャンネル選択用のインデックス画面を映し出す機能を備えている。この種のテレビジョン装置では、インデックス画面に表示された複数のサムネイル画像を一度に見ることができるため、好みの番組（観賞する番組）を比較的容易に選択する（見つける）ことが可能になっている。この場合、この種のテレビジョン装置では、チューナが各サムネイル画像に対応する各チャンネルの放送信号を一定周期でかつ所定の順序で順次抽出する抽出処理を繰り返して実行し、例えば表示制御部がチューナによる放送信号の抽出毎にその放送信号を画像処理することによって各サムネイル画像をインデックス画面内に表示させている。したがって、各サムネイル画像は、対応するチャンネルの放送信号における抽出頻度に応じて更新表示（こま落ち表示）される。しかし、放送信号の抽出や画像処理には比較的時間がかかるため、インデックス画面内のサムネイル画像の数が多い場合、更新表示の間隔が長くなる（こま落ちが激しくなる）結果、動きの激しいスポーツなどの番組のサムネイル画像では、その番組内容を理解するのが困難となる。
【０００３】
この課題を解決する手段として、特開平１０−２６２１９４号公報には、所定の頻度で更新表示（こま落ち表示）されている複数の子画面（サムネイル画像）の中から選択された子画面を動画面に変更する多チャンネル番組選択装置が開示されている。この場合、この多チャンネル番組選択装置は、第１チューナ（２）、動画再生部（３）、第２チューナ（４）、こま落ち画像再生部（５）、画像加工手段（９）、ＤＡＣ（１０）、ディスプレイ（１１）およびキー・リモコン入力部（１３）などを備えて構成されている。
【０００４】
この多チャンネル番組選択装置では、動画再生部（３）が、第１チューナ（２）によって抽出されたテレビ放送波（テレビジョン電波）を入力して動画面用の画像信号を出力する。また、こま落ち画像再生部（５）が、第２チューナ（４）によって抽出された複数のチャンネルのテレビ放送波を入力してこま落ち画像用の画像信号を出力する。次に、画像加工手段（９）が動画再生部（３）およびこま落ち画像再生部（５）から出力された画像信号を信号処理してディジタル信号を出力する。次いで、ＤＡＣ（１０）が画像加工手段（９）から出力されたディジタル信号をＤ／Ａ変換してディスプレイ（１１）に出力する。これにより、動画面としての親画面と、こま落ち画面としての複数の子画面とを合成した画面がディスプレイ（１１）に表示される。
【０００５】
一方、ディスプレイ（１１）に表示されている各子画面の中から所望の子画面を動画面に変更させる際には、キー・リモコン入力部（１３）を操作して、所望の子画面を指定する。これに応じて、第１チューナ（２）は、親画面に対応するチャンネルに代えて、指定された子画面に対応するチャンネルのテレビ放送波を抽出する。また、第２チューナ（４）は、親画面に対応するチャンネルのテレビ放送波と、指定された子画面以外の他の子画面に対応する各チャンネルのテレビ放送波を抽出する。これにより、指定された子画面が動画面（親画面）として表示されると共に、指定された子画面以外の他の子画面および親画面がこま落ち表示される。
【０００６】
【特許文献１】
特開平１０−２６２１９４号公報（第３頁）
【０００７】
【発明が解決しようとする課題】
ところが、この従来の多チャンネル番組選択装置には、以下の問題点がある。すなわち、この多チャンネル番組選択装置では、動画面用の第１チューナ（２）が親画面に代えて指定された子画面に対応するチャンネルのテレビ放送波を抽出し、かつこま落ち画面用の第２チューナ（４）が親画面に対応するチャンネルのテレビ放送波を抽出することにより、親画面内でこま落ち画面を表示しつつ、指定された子画面をインデックス画面内においてこま落ち画面から動画面に変更している。つまり、この多チャンネル番組選択装置では、第１チューナ（２）を利用して、指定された子画面の内容を見やすく表示させている。したがって、この多チャンネル番組選択装置では、動きの激しい番組の画像を子画面に見やすく表示するためには、一つの第２チューナ（４）だけでは足りずに、常に第１および第２のチューナ（２，４）を必要とするという不都合がある。また、この多チャンネル番組選択装置には、親画面を表示させつつ指定された子画面の内容を見やすく表示させるためには、その親画面の表示品質を低下させざるを得ないという問題点もある。
【０００８】
本発明は、かかる問題点に鑑みてなされたものであり、動きの激しい画像であっても単一の受信部で十分に見やすいサムネイル画像として表示し得る表示制御装置を提供することを主目的とする。
【０００９】
【課題を解決するための手段】
上記目的を達成すべく本発明に係る表示制御装置は、テレビ放送波を受信してＮ種類（Ｎは２以上の自然数）のチャンネルの各放送信号をそれぞれ所定の頻度で繰り返して抽出する受信部と、前記抽出された各放送信号に基づく各サムネイル画像を表示部のインデックス画面内で更新しつつ表示させる表示制御部とを備えた表示制御装置であって、前記インデックス画面内に表示された前記各サムネイル画像に対応する前記各チャンネルの中から（Ｎ−１）種類以内で指定した指定チャンネルの前記放送信号に対する前記抽出の頻度を変更させる変更操作が可能な操作手段と、前記変更操作によって変更された頻度で前記受信部に対して前記指定チャンネルの前記放送信号を抽出させる受信制御部とを備えている。
【００１０】
この表示制御装置では、操作手段側で変更操作が行われたときに、受信制御部が、受信部に対して、変更操作によって変更された頻度で指定チャンネルの放送信号を抽出させる。この場合、例えば抽出の頻度を増加させる変更操作が行われたときには、指定チャンネルに対応するサムネイル画像が、増加させた頻度で更新表示される。このため、更新表示の頻度を増加させた分だけ変更操作の前よりも高画質の（小刻みで更新される）サムネイル画像を表示させることが可能となる。したがって、指定チャンネルの番組における画像の動きが激しいときであっても、単一の受信部で十分に見やすいサムネイル画像として表示させることが可能となる。
【００１１】
また、本発明に係る表示制御装置は、上記の表示制御装置において、前記受信部は、前記放送信号を一定の周期で抽出し、前記受信制御部は、前記指定チャンネルの前記放送信号に対する前記抽出の頻度を増加または減少させる操作が前記変更操作として行われたときに、前記Ｎ種類のチャンネルの各放送信号を所定の順序で抽出する１周期の時間を伸長または短縮させた新たな１周期当たりにおけるその指定チャンネルの当該放送信号についての当該抽出の回数を前記受信部に対して増加または減少させる。
【００１２】
この表示制御装置では、受信部が、放送信号を一定の周期（抽出周期）で抽出する。また、受信制御部が、指定チャンネルの放送信号に対する抽出の頻度を増加または減少させる操作が操作手段側で行われたときに、受信部に対して、各チャンネルの各放送信号を所定の順序で抽出する１周期（１回の繰り返し周期）の時間を伸長または短縮させた新たな１周期当たりにおけるその指定チャンネルの放送信号についての抽出の回数を増加または減少させる。このため、受信部による放送信号の抽出周期が一定の状態で１回の繰り返し周期当たりにおけるその指定チャンネルの放送信号についての抽出回数を増減させるだけで、指定チャンネルの放送信号についての抽出の頻度を簡易に増減させることが可能となる。したがって、例えば各チャンネル毎に放送信号の抽出の周期を異ならせる等の複雑な制御を受信部に対して行う必要がないため、その分だけ受信部や受信制御部を簡易に構成することが可能となる。
【００１３】
また、本発明に係る表示制御装置は、上記の表示制御装置において、前記受信制御部は、前記受信部に対して前記指定チャンネルの前記放送信号を一定またはほぼ一定の周期で抽出させる。
【００１４】
この表示制御装置では、受信制御部が、受信部に対して指定チャンネルの放送信号を一定またはほぼ一定の周期で抽出させる。このため、サムネイル画像を一定またはほぼ一定の周期で更新表示することができるため、サムネイル画像をスムーズな動きで視認させることが可能となる。
【００１５】
さらに、本発明に係るテレビジョン装置は、上記の表示制御装置と、前記表示部とを備えている。
【００１６】
このテレビジョン装置によれば、上記の表示制御装置と、上記の表示部とを備えたことにより、上記の表示制御装置が有する効果と同様の効果を実現することが可能となる。
【００１７】
【発明の実施の形態】
以下、本発明に係る表示制御装置およびテレビジョン装置の好適な実施の形態について、添付図面を参照して説明する。図１に示すテレビジョン装置１は、一例として、スクリーンパネルの背面から投射光を投射することによって映像を表示するテレビジョン装置であって、装置本体２およびリモコン３を備えている。装置本体２は、表示部１１、表示制御部１２、受信制御部１３、第１チューナ１４、第１映像信号処理部１５、第２チューナ１６、第２映像信号処理部１７、受光部１８および主制御部１９を備えて構成されている。この場合、表示制御部１２、受信制御部１３、第１チューナ１４、第１映像信号処理部１５、第２チューナ１６、第２映像信号処理部１７、受光部１８、主制御部１９およびリモコン３によって本発明に係る表示制御装置が構成される。なお、このテレビジョン装置１は、実際には、音声出力部を備えているが、本発明についての理解を容易とするために、その図示および説明を省略する。
【００１８】
表示部１１は、図１に示すように、プロジェクタユニット２１およびスクリーンパネル２２を備えて構成されている。プロジェクタユニット２１は、テレビジョン装置１における装置本体２の内部における底面側に配設されて、表示制御部１２によって出力された表示用映像信号Ｓｅに基づいて変調した投射光Ｌをスクリーンパネル２２の背面側に向けて投射する。具体的には、プロジェクタユニット２１は、例えば、光源ランプと、光源ランプによって射出された白色光を映像表示可能な投射光Ｌに変調するための変調手段（一例として、液晶パネル、入射側偏光板および射出側偏光板を備えた液晶ライトバルブ）と、投射光Ｌを拡大して投射する投射レンズ（いずれも図示せず）とを備えて構成されている。なお、このテレビジョン装置１では、実際には、プロジェクタユニット２１によって投射された投射光Ｌが反射ミラーによって反射されてスクリーンパネル２２に投射されるが、本発明についての理解を容易とするために、その図示および説明を省略する。スクリーンパネル２２は、プロジェクタユニット２１によって投射された投射光Ｌを受光して拡散または平行光に変換することにより、各種画像（映像）を表示する。
【００１９】
表示制御部１２は、第１映像信号処理部１５および第２映像信号処理部１７から出力された画像データＤｐを入力して、例えば、図２に示すテレビ映像Ｐｔ（この場合、家、木および雲の映像）や、図３に示すテレビ映像Ｐｔとインデックス画面Ｐｉとを合成した合成画像を表示させるためのＲＧＢ形式の表示用映像信号Ｓｅを生成してプロジェクタユニット２１に出力する。ここで、インデックス画面Ｐｉは、観賞する番組（チャンネル）を選択するための画面であって、図３に示すように、複数（この場合、例えば６つ）に分割されたエリアにサムネイル画像Ｇｓ１〜Ｇｓ６（以下、区別しないときには「サムネイル画像Ｇｓ」ともいう）を表示する。この場合、後述するように、各サムネイル画像Ｇｓにそれぞれ対応するチャンネルの画像データＤｐが所定の順序で繰り返して出力されるため、各サムネイル画像Ｇｓは、対応するチャンネルの画像データＤｐが出力される度に更新表示される。
【００２０】
受信制御部１３は、主制御部１９の制御下で、制御信号Ｓｃ２を出力することにより、第１チューナ１４および第２チューナ１６による放送信号Ｓｂの抽出や、第１映像信号処理部１５および第２映像信号処理部１７による画像データＤｐの出力を制御する。また、受信制御部１３は、リモコン３側でチャンネル選局操作によってチャンネルが選局されたときには、第１チューナ１４に対して選局されたチャンネルの放送信号Ｓｂを抽出させる。さらに、受信制御部１３は、リモコン３側でインデックス画面Ｐｉを表示させる操作が行われたときには、第２チューナ１６に対して、例えば６つ（本発明におけるＮ種類の一例）のチャンネルにおける各放送信号Ｓｂを所定の順序でかつ一定の抽出周期（本発明における一定の周期に相当する）で順次抽出して出力する抽出処理を繰り返して実行させる。この場合、Ｎ種類（この例では６種類）のチャンネルの各放送信号Ｓｂを所定の順序で抽出する１周期（以下「繰り返し周期」ともいう）の時間は、インデックス画面Ｐｉ内に表示する各サムネイル画像Ｇｓに対する表示の方法（その順序および回数）に応じて、予め規定されているプログラムに従って受信制御部１３によって自動的に設定される。また、受信制御部１３は、インデックス画面Ｐｉ内に表示されている各サムネイル画像Ｇｓの中から指定されたサムネイル画像Ｇｓの画質を変更させる変更操作（指定した指定チャンネルの放送信号Ｓｂに対する抽出頻度を変更させる変更操作）が行われたときには、予め規定されているプログラムに従って各サムネイル画像Ｇｓに対する表示の方法（つまり、第２チューナ１６による各放送信号Ｓｂの抽出順序）を変更して上記の繰り返し周期の時間を変更し、指定されたサムネイル画像Ｇｓに対応する指定チャンネルの放送信号Ｓｂについての変更した繰り返し周期当たりにおける抽出の回数を変更させることにより、その放送信号Ｓｂの抽出の頻度を変更させる。
【００２１】
第１チューナ１４は、受信制御部１３から出力された制御信号Ｓｃ２に従い、その制御信号Ｓｃ２に指定されたチャンネルの放送信号Ｓｂを図外のアンテナを介して受信したテレビ放送波から抽出して、第１映像信号処理部１５に出力する。第１映像信号処理部１５は、例えば、ＩＦ回路、音声検波回路、映像検波回路およびＡ／Ｄ変換部（いずれも図示せず）などを備えている。この場合、第１映像信号処理部１５は、第１チューナ１４から出力された放送信号Ｓｂから音声信号を抽出して図外の音声出力部に出力する。また、第１映像信号処理部１５は、第１チューナ１４によって出力された放送信号Ｓｂから映像信号を抽出すると共に、その映像信号をＡ／Ｄ変換して画像データＤｐを出力する。第２チューナ１６は、本発明における受信部に相当し、受信制御部１３から出力された制御信号Ｓｃ２に従い、受信したテレビ放送波から例えば６つのチャンネルの放送信号Ｓｂを制御信号Ｓｃ２によって指定された順序でかつ一定の抽出周期（例えば０．１秒）で順次抽出して出力する抽出処理を繰り返して実行する。第２映像信号処理部１７は、例えば、ＩＦ回路、映像検波回路、Ａ／Ｄ変換部および画像データ記憶部（いずれも図示せず）などを備えている。この場合、第２映像信号処理部１７は、第２チューナ１６から出力された放送信号Ｓｂから映像信号を抽出すると共に、抽出した映像信号をＡ／Ｄ変換して画像データＤｐを出力する。
【００２２】
受光部１８は、リモコン３から出力された赤外線信号Ｓｉを受光して光電変換して操作信号Ｓｏを出力する。主制御部１９は、受光部１８から出力された操作信号Ｓｏに基づいて制御信号Ｓｃ１を出力することにより、表示制御部１２および受信制御部１３などを統括的に制御する。
【００２３】
リモコン３は、本発明における操作手段に相当し、図２に示すように、装置本体２とは別体に形成されている。また、リモコン３は、インデックス画面表示ボタン３１ａ、指定ボタン３１ｂ、上矢印ボタン３１ｃ、下矢印ボタン３１ｄ、数字ボタン３１ｅ，３１ｅ・・および電源ボタン３１ｆなどの各種操作ボタンが配列されて構成され、これらの操作ボタンが操作されたときに、各操作ボタンに対応する操作信号を赤外線信号Ｓｉに変換して出力する。
【００２４】
次に、テレビジョン装置１の全体的な動作について、図面を参照して説明する。このテレビジョン装置１では、リモコン３の電源ボタン３１ｆが操作された際に、プロジェクタユニット２１に電源が供給されて、光源ランプが白色光を射出する。また、第１チューナ１４が、直前の電源切断時に選局されていたチャンネル（例えばチャンネルＣＨ１０）の放送信号Ｓｂを抽出して出力する。次に、第１映像信号処理部１５が、第１チューナ１４によって出力された放送信号Ｓｂから音声信号を抽出して図外の音声出力部に出力すると共に、その放送信号Ｓｂから映像信号を抽出して画像データＤｐを生成して表示制御部１２に出力する。次に、表示制御部１２が、第１映像信号処理部１５から出力された画像データＤｐに基づいてＲＧＢ形式の表示用映像信号Ｓｅを生成してプロジェクタユニット２１に出力する。これに応じて、プロジェクタユニット２１の変調手段が光源ランプから射出された白色光を表示用映像信号Ｓｅに基づく映像表示用の投射光Ｌに変調し、投射レンズが投射光Ｌを拡大して投射する。これにより、投射光Ｌがスクリーンパネル２２に投射されて、図２に示すように、チャンネルＣＨ１０のテレビ映像Ｐｔが表示される。
【００２５】
一方、インデックス画面Ｐｉを表示させる際には、リモコン３のインデックス画面表示ボタン３１ａを操作する。この際に、リモコン３がインデックス画面表示ボタン３１ａに対応する赤外線信号Ｓｉを出力し、受光部１８が赤外線信号Ｓｉを受光して操作信号Ｓｏを出力する。これに応じて、主制御部１９が、テレビ映像Ｐｔとインデックス画面Ｐｉとを合成して表示させる旨を指示する制御信号Ｓｃ１を受信制御部１３および表示制御部１２に出力する。次いで、受信制御部１３は、制御信号Ｓｃ１に従い、画像データＤｐを横方向に圧縮して出力する旨を指示する制御信号Ｓｃ２を第１映像信号処理部１５に出力する。また、受信制御部１３は、制御信号Ｓｃ１に従い、６つのチャンネル（例えばチャンネルＣＨ１〜ＣＨ６）の放送信号Ｓｂを昇順（周波数が低い方から高い方に向けた順。以下「第１の順序」ともいう）でかつ一定の抽出周期（この場合、０．１秒）で順次抽出して出力する抽出処理を繰り返して実行させるための制御信号Ｓｃ２を第２チューナ１６に出力する。この場合、１回の抽出処理を実行する繰り返し周期は０．６秒に規定される。
【００２６】
続いて、第１映像信号処理部１５は、制御信号Ｓｃ２に従い、第１チューナ１４によって出力されている放送信号Ｓｂから抽出した映像信号を圧縮処理して、テレビ映像Ｐｔを横方向に例えば１／２に圧縮して表示させるための画像データＤｐを生成して出力する。また、第２チューナ１６は、制御信号Ｓｃ２に従い、図４に示すように、図外のアンテナを介して受信したテレビ放送波からチャンネルＣＨ１〜ＣＨ６の各放送信号Ｓｂを第１の順序でかつ一定の抽出周期（この場合、０．１秒）で順次抽出して出力する抽出処理を繰り返して実行する。したがって、第２チューナ１６による１回の抽出処理は０．６秒の繰り返し周期で実行される。また、第２チューナ１６は、同図に示すように、各チャンネルＣＨ１〜ＣＨ６の各放送信号Ｓｂを、１回の抽出処理（１回の繰り返し周期）当たり１回ずつ抽出する。したがって、各チャンネルＣＨ１〜ＣＨ６の各放送信号Ｓｂは、それぞれ０．６秒（０．６秒／１）の周期（頻度）で抽出される。
【００２７】
次に、第２映像信号処理部１７は、第２チューナ１６によって順次出力された放送信号Ｓｂから抽出した映像信号をデータ処理して、インデックス画面Ｐｉ内に表示可能な大きさのサムネイル画像Ｇｓに対応する画像データＤｐを生成して表示制御部１２に順次出力する。次いで、表示制御部１２は、第１映像信号処理部１５および第２映像信号処理部１７からそれぞれ出力された各画像データＤｐに基づき、図３に示すテレビ映像Ｐｔと、インデックス画面Ｐｉとを合成した合成画像を表示させるための表示用映像信号Ｓｅを生成してプロジェクタユニット２１に出力する。続いて、プロジェクタユニット２１は、表示用映像信号Ｓｅに基く投射光Ｌを投射する。これにより、同図に示すように、テレビ映像Ｐｔと、チャンネルＣＨ１〜ＣＨ６にそれぞれ対応するサムネイル画像Ｇｓ１〜Ｇｓ６を含むインデックス画面Ｐｉとを合成した合成画像が、スクリーンパネル２２に表示される。この場合、図４に示すように、第２チューナ１６がチャンネルＣＨ１〜ＣＨ６の各放送信号Ｓｂをそれぞれ０．６秒の周期（頻度）で抽出しているため、チャンネルＣＨ１〜ＣＨ６に対応する各サムネイル画像Ｇｓはそれぞれ０．６秒の周期で更新表示される。
【００２８】
一方、例えばこま落ちが激しいために番組の内容を把握するのが困難なサムネイル画像Ｇｓ（一例として、図３に示すサムネイル画像Ｇｓ１）を見やすい画像に表示する際には、リモコン３を用いてそのサムネイル画像Ｇｓ１を指定してその画質を高画質に変更する変更操作（チャンネルＣＨ１の放送信号Ｓｂに対する抽出の頻度を増加させる変更操作）を行う。具体的には、まず、図２に示すリモコン３の指定ボタン３１ｂを操作した後に、「１」の数字が付された数字ボタン３１ｅを操作してサムネイル画像Ｇｓ１に対応するチャンネルＣＨ１を指定する。次いで、上矢印ボタン３１ｃを操作する。この際に、主制御部１９は、指定されたチャンネルＣＨ１の放送信号Ｓｂを現状の頻度よりも増加させて抽出させる指示を含む制御信号Ｓｃ１を受信制御部１３に出力する。
【００２９】
次いで、受信制御部１３は、制御信号Ｓｃ１の指示に従い、例えば図５に示すように、チャンネルＣＨ１〜ＣＨ４，ＣＨ１，ＣＨ５，ＣＨ６の順序（以下「第２の順序」ともいう）で各チャンネルの放送信号Ｓｂを抽出して出力する抽出処理を繰り返して実行させる指示を含んだ制御信号Ｓｃ２を第２チューナ１６に出力する。したがって、この状態では、繰り返し周期は、１抽出周期分（この場合、０．１秒）伸長するため、０．６秒から０．７秒に伸長する。これに応じて、第２チューナ１６は、制御信号Ｓｃ２で指示された第２の順序での抽出処理を繰り返して実行する。この場合、同図に示すように、第２チューナ１６は、１回の抽出処理でチャンネルＣＨ１の放送信号Ｓｂを２回抽出する。したがって、チャンネルＣＨ１の放送信号Ｓｂは、０．７秒の繰り返し周期の間に２回抽出されるため、平均で０．３５秒（０．７秒／２）の周期で抽出される。つまり、チャンネルＣＨ１の放送信号Ｓｂが抽出される周期は、変更操作の前の周期（０．６秒）よりも短くなる。したがって、サムネイル画像Ｇｓ１は、変更操作の前よりも高頻度で（小刻みで）更新表示されてその画質が高画質に変更させられるため、十分に見やすく表示される。
【００３０】
次に、サムネイル画像Ｇｓ１に加えて、例えば図３に示すサムネイル画像Ｇｓ４の画質を高画質に変更する際には、上記の操作と同様にして指定ボタン３１ｂおよび数字ボタン３１ｅ（この場合、「４」の数字が付された数字ボタン３１ｅ）を用いてサムネイル画像Ｇｓ４に対応するチャンネルＣＨ４を指定した後に、上矢印ボタン３１ｃを操作する。この際に、主制御部１９は、チャンネルＣＨ４の放送信号Ｓｂを現状の頻度よりも増加させて抽出させる指示を含む制御信号Ｓｃ１を受信制御部１３に出力する。次いで、受信制御部１３は、制御信号Ｓｃ１の指示に従い、例えば図６に示すように、チャンネルＣＨ１，ＣＨ４，ＣＨ２，ＣＨ３，ＣＨ１，ＣＨ４，ＣＨ５，ＣＨ６の順序（以下「第３の順序」ともいう）で各チャンネルの放送信号Ｓｂを抽出して出力する抽出処理を繰り返して実行させる指示を含んだ制御信号Ｓｃ２を第２チューナ１６に出力する。したがって、この状態では、繰り返し周期は、１抽出周期分（この場合、０．１秒）伸長するため、０．７秒から０．８秒に伸長する。
【００３１】
続いて、第２チューナ１６は、制御信号Ｓｃ２で指示された第３の順序での抽出処理を繰り返して実行する。この場合、図６に示すように、第２チューナ１６は、１回の抽出処理で、チャンネルＣＨ４の放送信号Ｓｂを２回抽出する。したがって、チャンネルＣＨ４の放送信号Ｓｂは、０．８秒の繰り返し周期の間に２回抽出されるため、平均で０．４秒（０．８秒／２）の周期で抽出される。つまり、チャンネルＣＨ４の放送信号Ｓｂが抽出される周期は、変更操作の前の周期（０．６秒）よりも短くなる。したがって、サムネイル画像Ｇｓ４は、変更操作の前よりも高頻度で更新表示されてその画質が高画質に変更させられるため、十分に見やすく表示される。また、同図に示すように、チャンネルＣＨ１，ＣＨ４がそれぞれ等間隔（３つおき）で抽出されるため、サムネイル画像Ｇｓ１，Ｇｓ４はスムーズな動きで表示（視認）される。
【００３２】
続いて、サムネイル画像Ｇｓ１の画質をさらに高画質に変更する際には、上記の操作と同様にして、指定ボタン３１ｂ、および「１」の数字が付された数字ボタン３１ｅを用いてサムネイル画像Ｇｓ１に対応するチャンネルＣＨ１を指定した後に、上矢印ボタン３１ｃを操作（再操作）する。この際に、主制御部１９は、チャンネルＣＨ１の放送信号Ｓｂを現状の頻度よりもさらに高頻度で抽出させる指示を含む制御信号Ｓｃ１を受信制御部１３に出力する。次いで、受信制御部１３は、制御信号Ｓｃ１の指示に従い、例えば図７に示すように、チャンネルＣＨ１，ＣＨ４，ＣＨ２，ＣＨ１，ＣＨ３，ＣＨ４，ＣＨ１，ＣＨ５，ＣＨ６の順序（以下「第４の順序」ともいう）で各チャンネルの放送信号Ｓｂを抽出して出力する抽出処理を繰り返して実行させる指示を含んだ制御信号Ｓｃ２を第２チューナ１６に出力する。したがって、この状態では、繰り返し周期は、１抽出周期分（この場合、０．１秒）伸長するため、０．８秒から０．９秒に伸長する。
【００３３】
次いで、第２チューナ１６は、制御信号Ｓｃ２で指示された第４の順序での抽出処理を繰り返して実行する。この場合、図７に示すように、第２チューナ１６は、１回の抽出処理で、チャンネルＣＨ１の放送信号Ｓｂを３回抽出する。したがって、チャンネルＣＨ１の放送信号Ｓｂは、０．９秒の繰り返し周期の間に３回抽出されるため、平均で０．３秒（０．９秒／３）の周期で抽出される。つまり、チャンネルＣＨ４の放送信号Ｓｂが抽出される周期は、２回目の変更操作の前の周期（０．３５秒）よりもさらに短くなる。したがって、サムネイル画像Ｇｓ１は、２回目の変更操作の前よりもさらに高頻度で更新表示されてその画質がさらに高画質に変更させられるため、さらに見やすく表示される。
【００３４】
一方、サムネイル画像Ｇｓ４の画質をサムネイル画像Ｇｓ２，Ｇｓ３，Ｇｓ５，Ｇｓ６の画質と同程度の画質（通常画質）に変更する（チャンネルＣＨ４の放送信号Ｓｂに対する抽出の頻度を減少させる）際には、上記の操作と同様にして、指定ボタン３１ｂ、および「４」の数字が付された数字ボタン３１ｅを用いてサムネイル画像Ｇｓ４に対応するチャンネルＣＨ４を指定した後に、下矢印ボタン３１ｄ（図２参照）を操作する。この際に、主制御部１９は、チャンネルＣＨ４の放送信号Ｓｂを現状の頻度よりも減少して抽出させる指示を含む制御信号Ｓｃ１を受信制御部１３に出力する。次いで、受信制御部１３は、制御信号Ｓｃ１の指示に従い、例えば図８に示すように、チャンネルＣＨ１，ＣＨ４，ＣＨ３，ＣＨ１，ＣＨ２，ＣＨ１，ＣＨ５，ＣＨ６の順序（以下「第５の順序」ともいう）で各チャンネルの放送信号Ｓｂを抽出して出力する抽出処理を繰り返して実行させる指示を含んだ制御信号Ｓｃ２を第２チューナ１６に出力する。したがって、この状態では、繰り返し周期は、１抽出周期分（この場合、０．１秒）短縮するため、０．９秒から０．８秒に短縮する。
【００３５】
次いで、第２チューナ１６は、制御信号Ｓｃ２で指示された第５の順序での抽出処理を繰り返して実行する。この場合、図８に示すように、第２チューナ１６は、１回の抽出処理でチャンネルＣＨ２〜Ｈ６の放送信号Ｓｂをそれぞれ１回抽出する。したがって、チャンネルＣＨ２〜Ｈ６の各放送信号Ｓｂは、０．８秒の繰り返し周期の間にそれぞれ１回抽出されるため、それぞれ０．８秒（０．８秒／１）の周期で抽出される。つまり、チャンネルＣＨ４の放送信号Ｓｂが抽出される周期は、チャンネルＣＨ２，ＣＨ３，ＣＨ５，ＣＨ６の各放送信号Ｓｂが抽出される周期と等しくなる。したがって、サムネイル画像Ｇｓ４は、サムネイル画像Ｇｓ２，Ｇｓ３，Ｇｓ５，Ｇｓ６の画質と同程度の画質に変更させられる。
【００３６】
続いて、上記した変更操作を繰り返して行いつつ、好みの番組を見つける。次に、例えばサムネイル画像Ｇｓの中から好みの番組が見つかった際には、数字ボタン３１ｅ，３１ｅ・・を操作してそのチャンネルの数字を入力して、そのテレビ映像Ｐｔをスクリーンパネル２２の全面に表示させる。この際に、主制御部１９が入力された数字に対応するチャンネルにチャンネル切替させる旨を指示する制御信号Ｓｃ１を受信制御部１３に出力し、受信制御部１３がそのチャンネルの放送信号Ｓｂを抽出させるための制御信号Ｓｃ２を第１チューナ１４に出力する。これに応じて、第１チューナ１４がそのチャンネルの放送信号Ｓｂを抽出し、第１映像信号処理部１５が、第１チューナ１４によって出力された放送信号Ｓｂに含まれる映像信号に基づいて画像データＤｐを生成して表示制御部１２に出力する。これにより、数字入力されたチャンネルのテレビ映像Ｐｔがスクリーンパネル２２の全面に亘って表示される。
【００３７】
このように、このテレビジョン装置１によれば、リモコン３側で変更操作が行われたときに、受信制御部１３が第２チューナ１６に対して変更操作によって変更された頻度で指定チャンネルの放送信号Ｓｂを抽出させることにより、例えば指定チャンネルの放送信号Ｓｂの抽出頻度を増加させる変更操作が行われたときには、指定チャンネルに対応するサムネイル画像Ｇｓが増加した頻度で更新表示されるため、更新表示の頻度を増加させた分だけ変更操作の前よりも高画質の（小刻みで更新される）サムネイル画像Ｇｓを表示させることができる。したがって、指定チャンネルの番組における画像の動きが激しいときであっても、単一のチューナで十分に見やすいサムネイル画像Ｇｓを表示することができる。
【００３８】
また、指定した例えばサムネイル画像Ｇｓ１の画質を高画質または通常画質に変更する操作がリモコン３側で行われたときに、受信制御部１３が、第２チューナ１６に対して、チャンネルＣＨ１〜ＣＨ６の放送信号Ｓｂを所定の順序で抽出する１回の繰り返し周期の時間を伸長または短縮させた新たな１回の繰り返し周期当たりにおけるサムネイル画像Ｇｓ１に対応するチャンネルＣＨ１（指定されたチャンネル）の放送信号Ｓｂについての抽出の回数を増加または減少させることにより、第２チューナ１６による放送信号Ｓｂの抽出の周期（抽出周期）が一定の状態において、１回の抽出処理（１回の繰り返し周期）当たりのチャンネルＣＨ１の放送信号Ｓｂについての抽出回数を増加または減少させるだけで、チャンネルＣＨ１における放送信号Ｓｂの抽出の頻度を簡易に増加または減少させることができる。したがって、例えば各チャンネルＣＨ１〜ＣＨ６毎に放送信号Ｓｂの抽出の周期を異ならせる等の複雑な制御を第２チューナ１６に対して行う必要がないため、その分だけ第２チューナ１６や受信制御部１３を簡易に構成することができる。
【００３９】
また、受信制御部１３が、第２チューナ１６に対して指定チャンネルの放送信号Ｓｂを一定またはほぼ一定の周期で抽出させることにより、指定チャンネルに対応するサムネイル画像Ｇｓを一定またはほぼ一定の周期で更新表示させることができるため、そのサムネイル画像Ｇｓをスムーズな動きで視認させることができる。
【００４０】
なお、本発明は、上記した本発明の実施の形態に限定されない。例えば、本発明の実施の形態では、プロジェクタユニット２１およびスクリーンパネル２２を備えて表示部１１を構成した例について説明したが、表示部としてＣＲＴや液晶表示パネルを採用することもできる。また、表示部を備えずに、外部の表示装置にテレビ映像Ｐｔやインデックス画面Ｐｉを表示させる表示制御装置に本発明を適用することもできる。また、本発明の実施の形態では、６つのサムネイル画像Ｇｓをインデックス画面Ｐｉ内に表示する例について説明したが、サムネイル画像Ｇｓの数としては、６つに限定されず２つ以上の任意の数のサムネイル画像Ｇｓを表示することができる。さらに、テレビ映像Ｐｔとインデックス画面Ｐｉとを合成した合成画像を表示する例について説明したが、インデックス画面Ｐｉだけをスクリーンパネル２２の全面に亘って表示させることもできる。この場合、２つのチューナを備える必要はなく、１つのチューナでテレビ映像Ｐｔとインデックス画面Ｐｉとを切り替えて表示させることもできる。
【図面の簡単な説明】
【図１】テレビジョン装置１の構成を示すブロック図である。
【図２】テレビジョン装置１の正面図である。
【図３】スクリーンパネル２２にテレビ映像Ｐｔおよびインデックス画面Ｐｉを表示させている状態の表示画面図である。
【図４】放送信号Ｓｂを第１の順序で抽出している状態を示す説明図である。
【図５】放送信号Ｓｂを第２の順序で抽出している状態を示す説明図である。
【図６】放送信号Ｓｂを第３の順序で抽出している状態を示す説明図である。
【図７】放送信号Ｓｂを第４の順序で抽出している状態を示す説明図である。
【図８】放送信号Ｓｂを第５の順序で抽出している状態を示す説明図である。
【符号の説明】
１  テレビジョン装置、３  リモコン、１１  表示部、１２  表示制御部、１３  受信制御部、１４  チューナ、１６  チューナ、３１ｂ  指定ボタン、３１ｃ  上矢印ボタン、３１ｄ  下矢印ボタン、３１ｅ  数字ボタン、Ｇｓ１〜Ｇｓ６  サムネイル画像、Ｐｉ  インデックス画面、Ｓｂ  放送信号
【図１】
2005033371.tif 000003
【図２】
2005033371.tif 000004
【図３】
2005033371.tif 000005
【図４】
2005033371.tif 000006
【図５】
2005033371.tif 000007
【図６】
2005033371.tif 000008
【図７】
2005033371.tif 000009
【図８】
2005033371.tif 000010